(57)【特許請求の範囲】
【請求項１】
洗濯機本体内に揺動自在に支持された水槽と、前記水槽内に内包され有底円筒形に形成された回転ドラムと、前記回転ドラムを回転駆動するモータと、前記水槽内に給水する給水弁と、前記洗濯機本体前面上部に設けられ入力設定手段と表示手段とで構成される操作表示手段と、前記水槽の内底下部に設けられた排水口と、前記排水口と連通する排水弁と、衣類の量を検知する布量検知手段と、前記給水弁やモータ等を制御し、洗い、すすぎ、脱水の一連の行程、および衣類の黒ずみを防止する黒ずみ防止コースを逐次制御する制御手段とを備え、前記制御手段は、前記入力設定手段にて黒ずみ防止コースが選択された時、前記布量検知手段にて布量検知後、前記表示手段にて布量に対応する水位と、水位に対応する標準洗剤量の略２倍の洗剤量を表示するドラム式洗濯機であって、
制御手段は、黒ずみ防止コースにおいて、水位と洗剤量を表示した後、給水弁を動作させて給水し、モータを回転駆動させて予洗い行程を行なった後に、排水弁を動作させて排水し、再度給水弁を動作させて給水し、モータを回転駆動させて本洗い行程を行なうことを特徴とするドラム式洗濯機。
【請求項２】
液体洗剤自動投入装置を具備するとともに、制御手段は、入力設定手段にて黒ずみ防止コースが選択された時、布量検知手段にて布量検知後、表示手段にて布量に対応する水位を表示するとともに、水位に対応する標準液体洗剤量の略２倍の洗剤量を前記液体洗剤自動投入装置を動作させて水槽内に投入する請求項１に記載のドラム式洗濯機。
【発明の詳細な説明】
【技術分野】
【０００１】
本発明は、洗浄性能を高めて衣類の黒ずみ防止を行なうドラム式洗濯機に関するものである。
【背景技術】
【０００２】
従来、この種の洗濯機では、洗浄性能を向上させるために、洗濯液を高濃度状態にして洗いを行なう制御方式が提案されてきた。（例えば、特許文献１参照）。
【０００３】
図７は、特許文献１に記載された従来の洗濯機の動作フローチャート、図８は、同洗濯機の水量設定キーの正面図、図９は、同洗濯機の洗剤量を表示する表示態様を示す図である。
【０００４】
図７において、電源が投入されてスタートし、高濃度運転コースが選択されると（ステップＳ１のＹＥＳ）、図８に示す表示ランプで使用水量を表示するとともに、図９の（ａ）または（ｂ）に示すような表示ランプを用いて投入する洗剤量の目安を表示させる（ステップＳ２。）使用者は、この表示に従って内槽などに洗剤を投入する。ここで、特許文献１では、洗剤量を標準運転コースに必要な量よりも多量に表示し、かつ、給水量を標準運転コースよりも少なくするようにしている。そして、給水量は、定格よりも少ない負荷に合わせ、固定している。例えば、水量を３０リットルとし、この時の洗剤量は６０ｇと表示する。これは、標準選択コースで洗濯物の量を３ｋｇに設定した場合の設定値、水量３９リットル、洗剤量２７ｇと比較して、洗剤濃度は約３倍となる。
【０００５】
洗剤量表示に基づき洗剤を投入し洗濯をスタートさせると、設定された給水量まで給水し（ステップＳ３）、洗い行程に入る（ステップＳ１１）。所定の洗い時間が経過すると（ステップＳ１２のＹＥＳ）、次のすすぎ工程に入っていく。漬け置き高濃度コースが選択されると（ステップＳ４のＹＥＳ）、高濃度洗濯コースと同様に、水量を表示すると共に、洗剤量を表示させ（ステップＳ５）、給水して（ステップＳ６）、漬け置き期間に入る。そして、ステップＳ７、Ｓ８、Ｓ９と進行し、漬け置きが終了すると（ステップＳ１０のＹＥＳ）、前述と同様に洗い行程（ステップＳ１１）に入る。
【０００６】
上記の制御方式により、標準運転コースよりも洗剤を多く、水量を少なくして洗濯することにより、洗浄力を上げることが出来るという提案である。
【先行技術文献】
【特許文献】
【０００７】
【特許文献１】特開２０００−３４２８８７号公報
【発明の概要】
【発明が解決しようとする課題】
【０００８】
しかしながら、前記特許文献１に示す従来の構成では、規定量の衣類を、規定の水量よりも少ない水量で洗うために、洗濯槽（内槽）の中で衣類を無理やり撹拌するということになる。特許文献１では、実施の形態として縦型の全自動洗濯機で説明されているが、縦型洗濯機に限らずドラム式洗濯機であっても、内槽を内包する水槽（外槽）は、筺体内に揺動自在に支持されており、内槽の中で衣類を無理やり撹拌すれば、外槽全体が大きく揺れて、振動が大きくなり騒音が発生し、最悪の場合は外槽が筺体に激突するという課題を有していた。
【０００９】
本発明は、前記従来の課題を解決するもので、振動性能を損なうことなく、洗浄性能を高めて衣類の黒ずみを防止し、高品質の仕上がりができるドラム式洗濯機を提供することを目的とする。
【課題を解決するための手段】
【００１０】
前記従来の課題を解決するために本発明のドラム式洗濯機は、洗濯機本体内に揺動自在に支持された水槽と、前記水槽内に内包され有底円筒形に形成された回転ドラムと、前記回転ドラムを回転駆動するモータと、前記水槽内に給水する給水弁と、前記洗濯機本体前面上部に設けられ入力設定手段と表示手段とで構成される操作表示手段と、前記水槽の内底下部に設けられた排水口と、前記排水口と連通する排水弁と、衣類の量を検知する布量検知手段と、前記給水弁やモータ等を制御し、洗い、すすぎ、脱水の一連の行程、および衣類の黒ずみを防止する黒ずみ防止コースを逐次制御する制御手段とを備え、前記制御手段は、前記入力設定手段にて黒ずみ防止コースが選択された時、前記布量検知手段にて布量検知後、前記表示手段にて布量に対応する水位と、水位に対応する標準洗剤量の略２倍の洗剤量を表示することにより、高洗剤濃度で洗浄性能を高めて衣類の黒ずみを防止することができる。
【発明の効果】
【００１１】
本発明のドラム式洗濯機は、黒ずみ防止コース（高品位仕上げコース）で運転することにより、高品質の仕上がりを達成することができる。
【図面の簡単な説明】
【００１２】
【図１】本発明の第１の実施の形態におけるドラム式洗濯機の縦断面図
【図２】同ドラム式洗濯機のブロック回路図
【図３】同ドラム式洗濯機の操作表示部の一例図
【図４】同ドラム式洗濯機の高品位仕上げコースの洗い〜脱水制御のフローチャート
【図５】本発明の第２の実施の形態におけるドラム式洗濯機の操作表示部の一例図
【図６】同ドラム式洗濯機の高品位仕上げコースの洗い〜脱水制御のフローチャート
【図７】特許文献１に記載された従来の洗濯機の動作フローチャート
【図８】同洗濯機の水量設定キーの正面図
【図９】同洗濯機の洗剤量を表示する表示態様を示す図
【発明を実施するための形態】
【００１３】
第１の発明は、洗濯機本体内に揺動自在に支持された水槽と、前記水槽内に内包され有底円筒形に形成された回転ドラムと、前記回転ドラムを回転駆動するモータと、前記水槽内に給水する給水弁と、前記洗濯機本体前面上部に設けられ入力設定手段と表示手段とで構成される操作表示手段と、前記水槽の内底下部に設けられた排水口と、前記排水口と連通する排水弁と、衣類の量を検知する布量検知手段と、前記給水弁やモータ等を制御し、洗い、すすぎ、脱水の一連の行程、および衣類の黒ずみを防止する黒ずみ防止コースを逐次制御する制御手段とを備え、前記制御手段は、前記入力設定手段にて黒ずみ防止コースが選択された時、前記布量検知手段にて布量検知後、前記表示手段にて布量に対応する水位と、水位に対応する標準洗剤量の略２倍の洗剤量を表示することにより、高洗剤濃度で洗浄性能を高めて衣類の黒ずみを防止することができる。
【００１４】
第２の発明は、特に、第１の発明において、制御手段は、黒ずみ防止コースにおいて、水位と洗剤量を表示した後、給水弁を動作させて給水し、モータを回転駆動させて予洗い行程を行なった後に、排水弁を動作させて排水し、再度給水弁を動作させて給水し、モータを回転駆動させて本洗い行程を行なうことにより、洗浄性能を高めて衣類の黒ずみを防止し、高品質に仕上げることができる。
【００１５】
第３の発明は、特に、第１または第２の発明において、液体洗剤自動投入装置を具備するとともに、制御手段は、入力設定手段にて黒ずみ防止コースが選択された時、布量検知手段にて布量検知後、表示手段にて布量に対応する水位を表示するとともに、水位に対応する標準液体洗剤量の略２倍の洗剤量を前記液体洗剤自動投入装置を動作させて水槽内に投入することにより、使用者が洗剤を入れるという手間を省き、洗剤の入れ間違いを防止して、洗浄性能を高めて衣類の黒ずみを防止し、高品質に仕上げることができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態におけるドラム式洗濯機の縦断面図、図２は、同ドラム式洗濯機のブロック回路図を示すものである。
【００１８】
図１に示すように、洗濯機本体５１の内部に揺動自在に水槽５２が配設され、水槽５２内には、回転ドラム５３が回転自在に配設され、回転ドラム５３は、水槽５２の背面に外側より取り付けられたモータ５４により回転駆動される。
【００１９】
また、本発明のドラム式洗濯機は、モード設定や制御プログラムに従い、図１に示すモータ５４、給水系５５、排水系５６、乾燥系５７などを自動制御して、少なくとも洗い行程、すすぎ行程、脱水行程、乾燥行程を行う機能を有したいわゆるドラム式洗濯機を構成している。しかし、乾燥系５７は省略することができる。
【００２０】
給水系５５は、給水弁８５（図２で後述）の開閉によって、正面から見て中心より左側に設けられた給水経路７５を介して、実線矢印ａで示すように水槽５２内部に適時に給水でき、また給水を利用して洗剤収容部５８の洗剤を水道水と共に水槽５２内に適時に投入できるようになっている。
【００２１】
排水系５６は、排水弁５９の開閉によって洗い行程終了時、すすぎ行程終了時など必要なときに一点鎖線矢印ｂで示すように、水槽５２の内底下部に形成された排水口７１に接続された排水管６０を介し、フィルターケース６７に内設され、糸屑類を捕集し外部から取り外し可能の排水フィルタ６１を通過した後、接続ホース７２、排水弁５９を経由して、機外に排水できるようになっている。なお、水槽５２の側壁内方下部には、排水口７１へ排水されやすいように、凹状の排水溝７６が形成されている。
【００２２】
排水弁５９の上流側には、エアートラップ６８を構成し、空気管６９にて圧力センサーなどで構成された水位検知手段７８（図２にて後述）に連接し、水槽５２内部に給水された洗濯水の水圧により複数段の水位を検知する事が出来る。
【００２３】
回転ドラム５３は、略水平方向または水平方向から下向きに傾斜となるように配した回転軸６３により水槽５２の外底部に固着したモータ５４に直結され、回転駆動する事により、前方の開閉扉６４部より回転ドラム５３に投入された衣類の撹拌たたき洗いを行う。なお、開閉扉６４は、水槽５２の開口縁６５に装着したシール材６６を介して密閉し、また開くことができるようにしている。
【００２４】
乾燥系５７は、水槽５２および回転ドラム５３内の空気を、送風用ファンモータ７７を有する送風機６２によって図１の破線矢印ｃで示すように循環させる。乾燥系５７内には、糸屑類を捕集し除塵するフィルタ（図示せず）や、除塵後の導入空気を除湿する除湿部、除湿後の空気を加熱して渇いた高温空気とする加熱部等で構成されるヒートポンプ装置８６（図２にて後述）等を有する。
【００２５】
また、上記に併せ、洗い準備行程時、洗い行程時、すすぎ行程時など必要に応じ、循環系水路７８にて水槽５２内の水を循環させて洗剤の早期溶け込みや偏りの防止、洗いやすすぎの機能向上を図る機能を有している。
【００２６】
この循環系水路７８は、例えば洗い行程中に、回転速度可変のモータからなる循環ポンプ７９を駆動させることで、水槽５２内の水を、底部の排水管６０を介し、排水フィルタ６１を通過させ、循環ポンプ７９への流入側経路８０、循環ポンプ７９、および循環ポンプ７９からの吐出側経路８１を介して、水槽５２前部に形成した複数の噴射穴８２より、矢印ｄで示す循環水として回転ドラム５３内に噴射する。
【００２７】
運転コース等のモードや各種機能の選択は、洗濯機本体５１の前面上部の操作パネル７３に設けられた、入力設定手段８３（図２、図３で後述）と、表示手段８４（図２、図３で後述）とで構成される操作表示手段７４から入力して行い、制御装置７０がその入力情報を基に操作パネル７３上の表示手段８４で表示して使用者に知らせるとともに、操作パネル７３での入力設定手段８３により運転開始が設定されると、水槽５２内の水位を検知する水位検知手段７８等からのデータを入力して、モータ５４、排水弁５９、給水弁８５などの動作を制御し、洗い、すすぎ、脱水、乾燥行程などの運転を行う。
【００２８】
図２のブロック回路図において、制御装置７０の制御手段８８は、マイクロコンピュータなどで構成し、商用電源８９から、電源スイッチ９０のＯＮにより電力が供給されて動作を始め、布量検知手段９１、水位検知手段７８、温度検知手段９２、９３の出力を入力し、入力設定手段８３にて使用者の入力により設定された内容に基づいて、表示手段８４に設定内容を表示するとともに、双方向サイリスタ、リレーなどで構成した負荷駆動手段８７を介して、モータ５４、送風用ファンモータ７７、ヒートポンプ装置８６、排水弁５９、給水弁８５、循環ポンプ７９などの動作を制御し、洗い、すすぎ、脱水、乾燥の各行程を制御する。また、入力設定手段８３と表示手段８４とで、操作表示手段７４を構成している。
【００２９】
上記構成において、本願の言及する黒ずみ防止コース（高品位仕上げコース）を選択した際の洗い、すすぎ、脱水行程の動作を説明する。
【００３０】
図３は、本発明の第１の実施の形態におけるドラム式洗濯機の操作表示部の一例図、図４は、同ドラム式洗濯機の高品位仕上げコースの洗い〜脱水制御のフローチャートである。図３，４をもとに説明する。
【００３１】
まず、使用者が開閉扉６４を開け、回転ドラム５３に衣類を投入する。そして、図３の操作表示部図において、入力設定手段８３にて、電源入りボタン８３ａを押して電源を入れ、コースボタン８３ｃにて高品位仕上げコース８４ａを選択して、スタートボタン８３ｂを押して、運転をスタートする。
【００３２】
入力設定手段８３には、他に、洗濯や乾燥を設定する洗・乾切換ボタン８３ｄ、洗いから乾燥までの行程を設定する行程ボタン８３ｅ、水位を設定する水位ボタン８３ｆなどがある。水位は、使用者が布量に合わせて自由に設定できるが、使用者が設定しない場合は、布量検知の結果に基づき低〜高２の水位が自動設定される。なお、衣類の黒ずみを防止する高品位仕上げコースの場合は、低水位あるいは中水位が自動設定されるようになっている。
【００３３】
図４のフローチャートにおいて、高品位仕上げコースが選択されスタートする（ステップＳ１のＹＥＳ）と、布量検知手段９１にて投入された布量を検知（ステップＳ２）し、
ステップＳ３で、制御手段８８にて、布量に応じた水位、このコースの場合は低水位あるいは中水位が水位表示部８４ｂに表示され、同時に、その水位の水量に対する通常の洗剤濃度の略２倍の洗剤量が、デジタル表示部８４ｃに洗剤カップの量（杯）として表示される。例えば、布量が４．５ｋｇの場合は、自動設定される規定の水位は中水位であり、通常洗剤濃度の洗剤量は洗剤カップ０．８杯であるが、高品位仕上げコースでは、２倍の１．６杯が表示される。
【００３４】
ステップＳ４にて、使用者が表示された洗剤量を投入すると、給水が始まる（ステップＳ５）。所定量の給水が終わると、ステップＳ６にて給水撹拌が始まる。給水撹拌では、循環ポンプ７９が駆動し、水槽５２内の洗濯水が、循環水として水槽５２上部の噴射穴８２より回転ドラム５３内に噴射されて洗剤の溶解が促進されると同時に、モータ５４が駆動して、回転ドラム５３が回転し、衣類が撹拌され、予洗い行程が始まる。
【００３５】
予洗い行程が終わり、衣類の汚れがある程度落とされると、排水弁５９が開いて排水が行なわれる（ステップＳ７）。排水では、水位検知手段７８が検知できる最低ランクの水位まで排水した後、さらに１０秒間経過して、排水弁５９が閉じられる。この排水により、衣類から剥離されたある程度の汚れが、機外へ排出されることになる。その後、ステップＳ５と同水位まで給水が行なわれる（ステップＳ８）。
【００３６】
つまり、予洗い行程後の、このステップＳ７の排水と、ステップＳ８の給水により、水槽５２内の洗剤濃度は、通常濃度である略１倍になることになる。そして、ステップＳ９にて、本洗い行程の洗い撹拌が行なわれる。
【００３７】
次行程の、すすぎ（１）行程では、排水弁５９を開いて水槽５２内の水を排水（ステップＳ１０）した後、中間脱水が行なわれ（ステップＳ１１）、衣類に遠心力を与えることにより、水分を衣類から分離することで行ったのち、給水にて、洗いの水位まで給水し、モータ５４が駆動し、衣類から洗剤液を出すためのすすぎ撹拌が開始される（ステップＳ１２）。
【００３８】
すすぎ（２）行程、つまり最終すすぎ行程では、すすぎ（１）と同様に排水（ステップＳ１３）と中間脱水（ステップＳ１４）が行なわれ、それが終わった後に、すすぎ撹拌が開始される（ステップＳ１５）。
【００３９】
脱水行程では、すすぎ終了後、排水弁５９を開いて水槽５２内の水を排水した後、モータ５４を駆動させて、回転ドラムを高速回転させ、衣類に遠心力を与えることにより、水分を衣類から分離することで行う（ステップＳ１６）。
【００４０】
以上のように本第１の実施の形態においては、衣類の黒ずみを防止する黒ずみ防止コース（高品位仕上げコース）にて、略２倍の洗剤量で予洗い行程を行ない、その後、排水して再度給水し、通常洗剤濃度の略１倍の濃度で本洗い行程を行なうことにより、振動性能を損なうことなく、洗浄性能を高めて、衣類の黒ずみを防止し、高品質の仕上がりを行なうことができる。
【００４１】
（実施の形態２）
図５は、本発明の第２の実施の形態におけるドラム式洗濯機の操作表示部の一例図、図６は、同ドラム式洗濯機の洗い〜脱水制御のフローチャートである。
【００４２】
第２の実施の形態におけるドラム式洗濯機は、洗濯機本体５１の上部内方に液体洗剤自動投入装置（図示せず）が具備されており、空気ポンプ（図示せず）によって密閉した液体洗剤タンク（図示せず）内の空気圧を高め、その空気圧により液体洗剤を水槽５２内に
投入するように構成されている。
【００４３】
図５に示すように、操作表示部には液体洗剤自動投入ボタン８３ｇが設けられており、使用者が、洗濯開始前に設定できるようになっている。
【００４４】
図６のフローチャートにおいて、ステップＳ１、Ｓ２およびステップＳ５からＳ１６は、図４の第１の実施の形態と同じであり説明を省略する。
【００４５】
図６において、高品位仕上げコースが選択され（ステップＳ１のＹＥＳ）、液体洗剤自動投入が選択されて（ステップＳ１０１のＹＥＳ）、ステップＳ２で布量が検知されると、ステップＳ１０２で、制御手段８８にて、布量に応じた水位、このコースの場合は低水位あるいは中水位が水位表示部８４ｂに表示され、同時に、その水位の水量に対する通常の洗剤濃度の略２倍の液体洗剤量が、デジタル表示部８４ｃに洗剤カップの量（杯）として表示される。例えば、布量が４．５ｋｇの場合は、自動設定される規定の水位は中水位であり、通常洗剤濃度の液体洗剤量は洗剤カップ０．８杯であるが、高品位仕上げコースでは、２倍の１．６杯が表示される。
【００４６】
次に、ステップＳ１０３にて、液体洗剤自動投入装置の空気ポンプが所定時間だけ駆動し、表示された液体洗剤量が水槽５２内に自動投入される。以降、図４と同じように、ステップＳ５からステップＳ１６が進行して、洗濯が終了する。
【００４７】
以上のように本第２の実施の形態においては、衣類の黒ずみを防止する黒ずみ防止コース（高品位仕上げコース）にて、液体洗剤自動投入を選択することにより、略２倍の液体洗剤量が自動投入され、その洗剤量で予洗いを行ない、その後、排水して再度給水し、通常洗剤濃度の略１倍の濃度で本洗いを行なうことにより、振動性能を損なうことなく、洗浄性能を高めて、衣類の黒ずみを防止し、高品質の仕上がりを行なうことができる。
【産業上の利用可能性】
【００４８】
以上のように、本発明にかかるドラム式洗濯機は、振動性能を損なうことなく、洗浄性能を高めて、衣類の黒ずみを防止することが可能になるので、他の洗濯機の用途にも適用できる。
【符号の説明】
【００４９】
５１  洗濯機本体
５２  水槽
５３  回転ドラム
５４  モータ
５９  排水弁
７１  排水口
７４  操作表示手段
８３  入力設定手段
８４  表示手段
８５  給水弁
８８  制御手段
９１  布量検知手段
【図１】
0005516290.tif 000002
【図２】
0005516290.tif 000003
【図３】
0005516290.tif 000004
【図４】
0005516290.tif 000005
【図５】
0005516290.tif 000006
【図６】
0005516290.tif 000007
【図７】
0005516290.tif 000008
【図８】
0005516290.tif 000009
【図９】
0005516290.tif 000010